(57)【要約】【課題】  本開示は、包装箱を提供する。【解決手段】  前記包装箱は、箱体と、前記箱体に設置された太陽電池アセンブリと、前記箱体に設置された蓄電池と、前記箱体に設置された機能モジュールと、ソーラーコントローラとを含む。前記ソーラーコントローラは、前記太陽電池アセンブリ、前記蓄電池及び前記機能モジュールにそれぞれ接続され、前記太陽電池アセンブリで転化した電気エネルギーを前記蓄電池に出力するために用いられ、更に、前記蓄電池が前記機能モジュールに放電するように制御するために用いられる。前記箱体は、一端の開口を有する箱身と、前記開口を蓋閉めて密封する箱蓋とを含み、前記箱蓋は、発電箱蓋と、防護箱蓋とを含み、前記防護箱蓋は、前記発電箱蓋の外側に位置し且つ透明であり、前記発電箱上に太陽電池アセンブリが設置されている。【選択図】  図１
2019189349.tif 000002
【特許請求の範囲】
【請求項１】
包装箱であって、
箱体と、
前記箱体に設置された太陽電池アセンブリと、
前記箱体に設置された蓄電池と、
前記箱体に設置された機能モジュールと、
ソーラーコントローラと
を含み、
前記ソーラーコントローラは、前記太陽電池アセンブリ、前記蓄電池及び前記機能モジュールにそれぞれ接続され、前記太陽電池アセンブリで転化した電気エネルギーを前記蓄電池に出力するために用いられ、更に、前記機能モジュールへ放電するように前記蓄電池を制御するために用いられ、
前記箱体は、一端の開口を有する箱身と、前記開口を蓋閉めて密封する箱蓋とを含み、前記箱蓋は、発電箱蓋と、防護箱蓋とを含み、前記防護箱蓋は、前記発電箱蓋の外側に位置し且つ透明であり、前記発電箱上に太陽電池アセンブリが設置されていることを特徴とする包装箱。
【請求項２】
前記防護箱蓋及び前記発電箱蓋は、いずれも前記箱身に挿入結合されることを特徴とする請求項１に記載の包装箱。
【請求項３】
前記箱身上には、積み重ねて設置された第１シュート及び第２シュートが設けられ、前記防護箱蓋と前記第１シュートとが摺動配合し、前記発電箱蓋と前記第２シュートとが摺動配合することを特徴とする請求項２に記載の包装箱。
【請求項４】
前記機能モジュールは、前記箱体内の物品の紛失を観測した時に、警告信号を出力するための盗難防止モジュールを含むことを特徴とする請求項１乃至３のいずれか１項に記載の包装箱。
【請求項５】
前記盗難防止モジュールは、前記箱体の内側壁又は前記箱体の底壁に位置して前記箱体内の物品の移転を感知した時に前記ソーラーコントローラにリマインダ信号を発するための重量センサーを含むことを特徴とする請求項４に記載の包装箱。
【請求項６】
前記機能モジュールは、更に、前記ソーラーコントローラに信号的に接続される全地球測位システムモジュールと、汎用パケット無線サービスモジュールとを含み、前記全地球測位システムモジュール及び前記汎用パケット無線サービスモジュールは、いずれも前記箱体内に設置されていることを特徴とする請求項５に記載の包装箱。
【請求項７】
前記重量センサーは、更に、前記汎用パケット無線サービスモジュールに接続され、物品の移転を感知した時に、前記汎用パケット無線サービスモジュールを介してターゲット端末にリマインダ信号を送信するために用いられることを特徴とする請求項６に記載の包装箱。
【請求項８】
前記ソーラーコントローラは、更に、前記蓄電池の電量が設定値まで低下したことを感知した時に、前記汎用パケット無線サービスモジュールに制御信号を出力して、ターゲット端末にリマインダ信号を送信するように前記汎用パケット無線サービスモジュールを制御するために用いられることを特徴とする請求項６に記載の包装箱。
【請求項９】
前記箱身の少なくとも一つの側壁上に太陽電池アセンブリが設置されており、
前記発電箱上に設置された太陽電池アセンブリ及び前記箱身上に設置された太陽電池アセンブリは、いずれも薄膜アセンブリであることを特徴とする請求項１に記載の包装箱。
【請求項１０】
前記薄膜アセンブリの面積は、前記薄膜アセンブリの所在する面の面積の１０％以上であることを特徴とする請求項９に記載の包装箱。
【発明の詳細な説明】
【技術分野】
【０００１】
[関連する出願の参照]
本願は、２０１８年４月２３日に出願された中国特許出願第２０１８１０３６７３８５．３号の優先権を主張し、且つ２０１８年４月２３日に出願された中国特許出願第２０１８１０３６７４０２．３の優先権を主張するものであり、その内容は全て本願に取り込まれる。
本開示は、包装運送技術分野に関し、特に包装箱に関する。
【背景技術】
【０００２】
電子商取引の急速な発展につれて、宅配紙箱に対する需要がますます旺盛になっているが、従来の紙箱の多量の使用は、極めて大きい浪費をもたらすとともに、環境保全の面でも不利である。このため、再使用可能な環境保全型宅配包装は、電子商取引及び物流業界で我勝ちに賞賛する対象となっている。
【０００３】
宅配紙箱の機能多様化を実現するために、通常、宅配紙箱上に多様な機能モジュールが設置されるが、これらの機能モジュールは、エネルギーを供給することにより、持続的な作動を実現すべきであるため、持続的にエネルギー供給を確保可能な包装箱を設計して上記の問題点を解決する必要がある。
【発明の概要】
【０００４】
本開示は、包装箱を提供する。前記包装箱は、箱体と、前記箱体に設置された太陽電池アセンブリと、前記箱体に設置された蓄電池と、前記箱体に設置された機能モジュールと、ソーラーエネルギコントローラとを含み、前記ソーラーエネルギコントローラは、前記太陽電池アセンブリ、前記蓄電池及び前記機能モジュールにそれぞれ接続され、前記太陽電池アセンブリで転化した電気エネルギーを前記蓄電池に出力するために用いられ、更に、前記機能モジュールへ放電するように前記蓄電池を制御するために用いられ、前記箱体は、一端の開口を有する箱身と、前記開口を蓋閉めて密封する箱蓋とを含み、前記箱蓋は、発電箱蓋と、防護箱蓋とを含み、前記防護箱蓋は、前記発電箱蓋の外側に位置し且つ透明であり、前記発電箱上に太陽電池アセンブリが設置されている。
【０００５】
上記のような包装箱において、選択可能に、前記防護箱蓋及び前記発電箱蓋は、いずれも前記箱身に挿入結合される。
【０００６】
上記のような包装箱において、選択可能に、前記箱身上には、積み重ねて設置された第１シュート及び第２シュートが設けられ、前記防護箱蓋と前記第１シュートとが摺動配合し、前記発電箱蓋と前記第２シュートとが摺動配合する。
【０００７】
上記のような包装箱において、選択可能に、前記機能モジュールは、前記箱体内の物品の紛失を観測した時に、警告信号を出力するための盗難防止モジュールを含む。
【０００８】
上記のような包装箱において、選択可能に、前記盗難防止モジュールは、前記箱体の内側壁又は前記箱体の底壁に位置して前記箱体内の物品の移転を感知した時に前記ソーラーエネルギコントローラにリマインダ信号を発するための重量センサーを含む。
【０００９】
上記のような包装箱において、選択可能に、前記機能モジュールは、更に、前記ソーラーエネルギコントローラに信号的に接続される全地球測位システムモジュールと、汎用パケット無線サービスモジュールとを含み、前記全地球測位システムモジュール及び前記汎用パケット無線サービスモジュールは、いずれも前記箱体内に設置されている。
【００１０】
上記のような包装箱において、選択可能に、前記重量センサーは、更に、前記汎用パケット無線サービスモジュールに接続され、物品の移転を感知した時に、前記汎用パケット無線サービスモジュールを介してターゲット端末にリマインダ信号を送信するために用いられる。
【００１１】
上記のような包装箱において、選択可能に、前記ソーラーエネルギコントローラは、更に、前記蓄電池の電量が設定値まで低下したことを感知した時に、前記汎用パケット無線サービスモジュールに制御信号を出力して、ターゲット端末にリマインダ信号を送信するように前記汎用パケット無線サービスモジュールを制御するために用いられる。
【００１２】
上記のような包装箱において、選択可能に、前記太陽電池アセンブリは、薄膜アセンブリを含み、前記薄膜アセンブリは、前記箱体の一側に貼り付けられている。
【００１３】
上記のような包装箱において、選択可能に、前記薄膜アセンブリの面積は、前記箱体の当該側の面積の１０％以上である。
【図面の簡単な説明】
【００１４】
【図１】本開示の実施例が提供する包装箱の一角度の模式図である。
【００１５】
【図２】本開示の実施例が提供する包装箱の別の角度的模式図である。
【００１６】
【図３】本開示の実施例が提供する包装箱の透視図である。
【００１７】
【図４】本開示の幾つかの実施例が提供する包装箱の構造模式図である。
【００１８】
【図５】本開示の幾つかの実施例が提供する包装箱の制御原理図である。
【００１９】
【図６】本開示の実施例が提供する包装の別の角度の模式図である。
【発明を実施するための最良の形態】
【００２０】
以下、本開示の実施例を詳細に説明し、前記実施例の例を図面に示す。その中で、終始一貫して、同一又は類似の参照番号は、同一又は類似の素子或いは同一又は類似の機能を有する素子を表す。以下、図面を参考しながら説明される実施例は、例示的なものであり、ただ本開示を解釈するために用いられ、本開示に対する制限として解釈するべきではない。
【００２１】
図１乃至図３を参照すると、本開示の実施例は、包装箱を提供する。前記包装箱は、箱体１と、太陽電池アセンブリ２と、蓄電池３と、機能モジュール３０と、ソーラーコントローラ４とを含む。太陽電池アセンブリ２及び蓄電池３は、箱体１に設置され、ソーラーコントローラ４は、太陽電池アセンブリ２、蓄電池３及び機能モジュール３０にそれぞれ接続され、太陽電池アセンブリ２で転化した電気エネルギーを蓄電池３に出力するために用いられ、且つ蓄電池３が機能モジュール３０に放電するように制御するために用いられる。
【００２２】
箱体１は、一端の開口２００を有する箱身１０１と、前記開口２００を蓋閉めて密封する箱蓋２１０とを含む。箱蓋２１０は、発電箱蓋１０３のような第１箱蓋部分と、防護箱蓋１０２のような少なくとも一つの第２箱蓋部分とを含む。防護箱蓋１０２は、発電箱蓋１０３の外層に位置し、且つ透明であり、発電箱蓋１０３上に、上記の太陽電池アセンブリ２が設置されている。具体的には、一実施例において、箱体１が図１に示す位置にある時、箱体１の内部に対して、防護箱蓋１０２は、発電箱蓋１０３より外側に近接し、換言すれば、図１において矢印Ａ１が示す方向上で、防護箱蓋１０２は、発電箱蓋１０３に対して蓄電池３から離れている。
【００２３】
説明すべきことは、上記の防護箱蓋１０３の個数は、一つであっても良いし、複数であっても良いが、主に発電箱蓋１０３を保護する役割を果たす。
【００２４】
蓄電池３は、箱体１に設置される。例えば、蓄電池３は、箱体１上又は箱体１内に設置されることが可能である。機能モジュール３０は、箱体１内に設置され、ソーラーコントローラ４は、太陽電池アセンブリ２、蓄電池３及び機能モジュール３０にそれぞれ接続され、太陽電池アセンブリ２で転化した電気エネルギーを蓄電池３に出力するために用いられ、更に、蓄電池３が機能モジュールに放電するように制御するために用いられる。
【００２５】
当業者は、機能モジュール３０が盗難防止モジュール６と、ＧＰＳ（Ｇｌｏｂａｌ  Ｐｏｓｉｔｉｏｎｉｎｇ  Ｓｙｓｔｅｍ、全地球測位システム）モジュール７と、ＧＰＲＳ（Ｇｅｎｅｒａｌ  Ｐａｃｋｅｔ  Ｒａｄｉｏ  Ｓｅｒｖｉｃｅ、汎用パケット無線サービス）モジュール８とを含むことが可能であることを理解できる。機能モジュール３０は、幾つかの発光素子、発声素子等であることも可能であり、ここでは、更なる限定をしないことにする。
【００２６】
一実施例において、図４及び図５が示すように、機能モジュール３０は、盗難防止モジュール６を含む。盗難防止モジュール６は、箱体１内の物品の紛失を感知した時、警告信号を出力するために用いられる。ソーラーコントローラ４は、太陽電池アセンブリ２、蓄電池３及び盗難防止モジュール６にそれぞれ接続され、太陽電池アセンブリ２で転化した電気エネルギーを蓄電池３に出力するために用いられ、これにより、貯蔵を行う。ソーラーコントローラ４は、更に、当該蓄電池３が盗難防止モジュール６に放電するように制御するために用いられる。太陽電池アセンブリ２は、太陽エネルギー発電を行い、ソーラーコントローラ４を介して蓄電池３に対して充電を行い、蓄電池３は、またソーラーコントローラ４を介して盗難防止モジュール６に放電出力し、宅配物品の持続可能な盗難防止警報機能を実現する。ソーラーコントローラ４は、入力電圧及び電流を調整制御するものであり、蓄電池３がフル充電された時、ソーラーコントローラ４は、外部電源の入力を遮断する。ソーラーコントローラ４は、更に、蓄電池３が過放電して電圧不足の場合、提示を行うことが可能である。ソーラーコントローラ４は、同時に蓄電池３の出力電圧及び電流を調整制御して、出力電圧及び電流を各機能モジュールの電源需要とマッチングさせて、蓄電池３が正常に作動するようにする。
【００２７】
一実施例において、機能モジュール３０は、盗難防止モジュール６を含む他、ＧＰＳモジュール７と、ＧＰＲＳモジュール８とを更に含む。蓄電池３は、ソーラーコントローラ４を介して盗難防止モジュール６に放電出力して、宅配物品の持続可能な盗難防止警報機能を実現する。ソーラーコントローラ４は、入力電圧及び電流を調整制御するものであり、蓄電池３がフル充電された時、ソーラーコントローラ４は、外部電源の入力を遮断し、更に、蓄電池３が過放電して電圧不足の場合、提示を行うことが可能である。
【００２８】
蓄電池３は、更に、ソーラーコントローラ４を介してＧＰＳモジュール７及びＧＰＲＳモジュール８に放電出力して、宅配物品の持続可能な実時間衛星測位モニタリング機能を実現することが可能である。ＧＰＳモジュール７は、包装箱の実時間衛星測位を行い、現在位置情報を、ＧＰＲＳモジュール８を介して宅配、物流会社システムプラットホーム又はターゲット端末に送信し、物の持ち主が照会を行い、荷物到着時間を把握し、受け取り準備をするのに便宜を図る。
【００２９】
選択可能に、図１が示すように、盗難防止モジュール６は、箱体１の内側壁上に位置するか、又は箱体１の底壁に位置し、箱体１内の物品が移し去られたことを感知した後、ソーラーコントローラ４にリマインダ信号を発するための重量センサー９を更に含む。ソーラーコントローラ４は、ＧＰＲＳモジュール８に制御信号を出力して、警告信号を宅配、物流会社システムプラットホーム又はターゲット端末に輸送する。物品が置かれる時は、当該重量センサー９上に圧し掛かり、テンションロープ等で固定され、貨物運搬途中で物品が当該重量センサー９を逸脱するのを防止する。物品が盗み去られる時、重量センサー９は、警報信号をソーラーコントローラ４に伝達し、ソーラーコントローラ４は、ＧＰＲＳモジュール８に制御信号を出力して、警告信号を宅配、物流会社システムプラットホーム又はターゲット端末に輸送するようにする。
【００３０】
更に、重量センサー９は、なお、ＧＰＲＳモジュール８に接続され、物品が移し去られたことを感知した後、ＧＰＲＳモジュール８を介してターゲット端末にリマインダ信号を送信し、宅配物品が既に取り出されたことを告知し、警察に通報するよう気付かせるために用いられる。選択可能に、ソーラーコントローラ４は、更に、蓄電池３の電量が設定値まで低下したことが監視された時、ＧＰＲＳモジュール８に制御信号を出力し、当該ＧＰＲＳモジュール８がターゲット端末にリマインダ信号を送信するように制御するために用いられる。選択可能に、本実施例において、太陽電池アセンブリ２は、薄膜アセンブリであり、そのバックプレートは、発電箱蓋１０３と一体型構造になっていることが可能である。薄膜アセンブリは、軽量で柔らかく、弱光発電性が良く、発電箱蓋１０３の外壁上に設置され、発電箱蓋１０３と共に一体構造に加工されることが可能であり、丈夫で耐用及び太陽エネルギー発電機能を果たす。薄膜アセンブリは、発電箱蓋１０３の一外側面に位置し、占拠面積は１０％以上であり、積層又は溶接方式により一体にラミネートされ、当該外側面に開口が設置され、開口面積は、薄膜アセンブリの接続ボックス面積よりわずかに大きく、薄膜アセンブリの接続ボックスは、開口を貫いて箱身１０１に進入する。
【００３１】
防護箱蓋１０２及び発電箱蓋１０３のそれぞれ箱身１０１との接続方式には、複数の種類があることが可能であり、例えば、ヒンジ連結、又は係止連結、接着等の方式による接続である。本実施例において、防護箱蓋１０２及び発電箱蓋１０３は、いずれも箱身１０１に挿入結合される。
【００３２】
図２に示すように、選択可能に、箱身１０１上に、積み重ねて設置された二層シュート５が設けられており、二層シュート５は、それぞれ第１シュート５Ａ及び第１シュート５Ａの下方に位置する第２シュート５Ｂであり(箱体１が図２に示す位置にある時)、防護箱蓋１０２は、第１シュート５Ａと摺動配合し、発電箱蓋１０３は、第２シュート５Ｂに摺動接続し、薄膜アセンブリは、発電箱蓋１０３の外壁上に貼り付けられている。防護箱蓋１０２及び発電箱蓋１０３は、二層箱蓋を形成し、その設置は、密封をよりしっかりさせ、開閉個所の強度及び防水性を増強する。図１及び図２に示す実施例において、防護箱蓋１０２及び発電箱蓋１０３は、矢印Ａ２が示す方向に沿ってそれぞれ第１シュート５Ａ及び第２シュート５Ｂに摺動設置されることが可能である。
【００３３】
選択可能に、箱身１０１及び箱蓋２１０は、いずれも射出成形され、箱身１０１は、ポリマー樹脂で直接射出成形、圧縮成形又はプラスチック成形されることが可能であり、樹脂の類型は、ＰＰ、ＰＥ、ＰＶＣ、ＰＡ、ＰＣ、ＰＣ／ＡＢＳ、ＡＢＳ、ＡＳ等を含むが、これらに限定されず、樹脂充填材は、タルカムパウダー、炭酸カルシウム、硫酸バリウム、雲母粉和ガラス繊維等を含むが、これらに限定されず、樹脂添加剤は、抗酸化剤、離型剤、トナー、難燃剤和抗紫外線安定剤等を含むが、これらに限定されない。
【００３４】
二層箱蓋構造における防護箱蓋１０２は、箱身１０１の最外側に装着され、上層の第１シュート５Ａに位置し、且つ箱身１０１をしっかり蓋閉め、防護箱蓋１０２は、色が透明で、光（４００ｎｍ〜１１００ｎｍ波長）透過率≧７０％であって、光透過に影響を与えないとともに、発電箱蓋１０３に対して防護の役割を果たす。防護箱蓋１０２の光透過率が５０％以下まで低下又は防護箱蓋１０２に破損があって変形が深刻な場合、新しい防護箱蓋を交換することが可能である。防護箱蓋１０２は、透明樹脂で直接射出成形、圧縮成形又はプラスチック成形されることが可能であり、透明樹脂の類型は、ＰＥＴ、ＰＣ、ＰＭＭＡ、ＰＶＣ等を含むが、これらに限定されない。防護箱蓋１０２の露出面に透明硬質コート層をスプレー塗布することが可能であり、表面は、フロスト状を呈することが可能であり、表面耐磨耗・耐スクラッチ性を向上させ、塗布層材料は、ポリウレタンアクリレート、ポリエン酸エステル類及び有機シリコンプロピレン酸エステル等を含むが、これらに限定されない。
【００３５】
発電箱蓋１０３は、防護箱蓋１０２の下層に位置し（箱体１が図２に示す位置にある時）、下層の第２シュート５Ｂから滑って入り込んで箱身１０１をしっかり蓋閉め、太陽電池アセンブリ２は、箱外方向に向かっており、発電箱蓋１０３の背面は、アセンブリバックプレートとされることが可能である。太陽電池アセンブリ２のバックプレートは、箱体１と同一の樹脂材料を使用し、先ずポリマー樹脂を用いて射出成形、圧縮成形又はプラスチック成形等の成形方法により加工されて成る。太陽電池アセンブリ２のバックプレート上に、合流導線２８（図６に示す如く）を貫通設置するための孔２９（如図６所示）が開設されており、合流導線を接続ボックスに接続させ、接続ボックスとバックプレートとは、シーラントにより接着密封される。接続ボックスの引出配線は、機能モジュールの引出配線に接続されて、回路を導通させる。太陽電池アセンブリ２及び発電箱蓋１０３に積層を行って一体化箱蓋を形成する。図６に示すように、薄膜アセンブリは、発電箱蓋１０３から離れる方向に沿って順次にバックプレート２１、第１接着フィルム２２、セル２３、第２接着フィルム２４、高水蒸気バリア層２５、第３接着フィルム２６及び耐候層２７を含む。
【００３６】
箱蓋の交換の便宜を図るために、図２に示すように、防護箱蓋１０２及び発電箱蓋１０３の一端に、いずれもプッシュプルのための取っ手１０４が設置されていることが可能である。
【００３７】
上記の実施例の基礎の上に、図３が示すように、当該包装箱は、収納ボックス１０と、閉塞蓋１１とを更に含む。収納ボックス１０及び閉塞蓋１１は、箱体１の内部に設置される。如図１所示、ソーラーコントローラ４、蓄電池３、ＧＰＳモジュール７及び前記ＧＰＲＳモジュール８は、いずれも収納ボックス１０内に設置されることが可能である。ソーラーコントローラ４、蓄電池３、ＧＰＳモジュール７及び前記ＧＰＲＳモジュール８を収納ボックス１０内に設置した後、閉塞蓋１１を収納ボックス１０上に装着し、収納ボックス１０を蓋閉めすることにより、ソーラーコントローラ４、蓄電池３、ＧＰＳモジュール７及び前記ＧＰＲＳモジュール８を収納ボックス１０内に固定することが可能である。閉塞蓋１１上に、線を通すためのスルーホール１２が設置されており、各機能モジュールが収納ボックス１０内に固定された後、ケーブルは、当該スルーホール１２を介して貫いて出る。当該収納ボックス１０の設置は、箱体１内に置かれる物品によるソーラーコントローラ４、蓄電池３及び上記の機能モジュールへの破壊、及び運搬過程における包装箱の転落によるソーラーコントローラ４、蓄電池３及び機能モジュールの損害を防止することができる。
【００３８】
更に、箱体１の両側に手持ち構造が設置されていることが可能であり、当該手持ち構造は、ハンドル又は突起物等の構造であることが可能であるが、本実施例において、手持ち構造は、溝１３であって、直接箱体１の外壁上に開設されており、加工工程が簡単であり、手で箱体１をつかんで包装箱を運搬するのに便利である。
【００３９】
図４は、本開示の幾つかの実施例が提供する包装箱の構造模式図であり、図５は、本開示の幾つかの実施例が提供する包装箱の制御原理図である。図４及び図５に示す包装箱は、図１乃至図３に示す包装箱と類似しており、両方間の違いは、主に図４及図５に示す包装箱における太陽電池アセンブリ２は箱身１０１の外壁上に設置されていることである。
【００４０】
選択可能に、本実施例において、太陽電池アセンブリ２は、薄膜アセンブリであって、箱身１０１の外壁上に貼り付けられている。薄膜アセンブリは、軽量で柔らかく、弱光発電性が良く、箱身１０１の外壁上に設置され、箱身１０１と共に一体構造に加工されることが可能であり、丈夫で耐用及び太陽エネルギー発電機能を果たす。薄膜アセンブリは、箱身１０１の一外側面に位置し、占拠面積は１０％以上であり、積層又は溶接方式により一体にラミネートされ、当該外側面の所在する箱身１０１内壁の内部は開口され、開口面積は、薄膜アセンブリの接続ボックス面積よりわずかに大きく、薄膜アセンブリの接続ボックスは、開口を貫いて箱体１００に進入する。
【００４１】
選択可能に、本実施例において、太陽電池アセンブリ２は、薄膜アセンブリであって、箱体１００の外壁上に貼り付けられている。薄膜アセンブリは、軽量で柔らかく、弱光発電性が良く、箱体１００の外壁上に設置され、箱体１００と共に一体構造に加工されることが可能であり、丈夫で耐用及び太陽エネルギー発電機能を果たす。薄膜アセンブリは、箱体１００の一外側面に位置し、占拠面積は１０％以上であり、積層又は溶接方式により一体にラミネートされ、当該外側面の所在する箱体１００内壁の内部は、開口され、開口面積は、薄膜アセンブリの接続ボックス面積よりわずかに大きく、薄膜アセンブリの接続ボックスは、開口を貫いて箱体１００に進入する。
【００４２】
本開示の実施例が提供する包装箱は、太陽電池アセンブリを設置することにより、太陽エネルギーを電気エネルギーに転化し、従って、機能モジュールに対する持続可能なエネルギー供給を実現する。一方、機能モジュールは、盗難防止モジュールを含むことが可能であり、太陽電池アセンブリは、太陽エネルギーを電気エネルギーに転化して盗難防止モジュールに提供し、包装箱の盗難防止機能を実現し、持続可能なエネルギー供給により盗難防止機能を実現することが可能である。
【００４３】
当業者は、各機能モジュールが太陽電池アセンブリ内に付いているソーラーコントローラにより信号伝送を制御しても良く、個別の制御器を別途に設置して各機能モジュールに対して制御を行っても良いことを理解でき、ここでは、限定をしないことにする。
【００４４】
以上、図面に基づいて示された実施例は、本開示の構造、特徴及び作用効果を詳細に説明したが、上記の内容は、ただ本開示の好ましい実施例であり、本開示は、図面に示すもので実施範囲を限定せず、本開示の構想に従ってなされた変更又は均等変化に修正された等価実施例が依然として明細書及び図面に含まれる精神を超えないものであるなら、全部本開示の保護範囲に属すべきである。
【図１】
2019189349.tif 000003
【図２】
2019189349.tif 000004
【図３】
2019189349.tif 000005
【図４】
2019189349.tif 000006
【図５】
2019189349.tif 000007
【図６】
2019189349.tif 000008